(57)【特許請求の範囲】
【請求項１】
画像データを入力する手段と、
電子メール通信により上記画像データを送信する電子メール送信手段と、
ファクシミリ通信により上記画像データを送信するファクシミリ通信手段と、
宛て先の登録アドレス情報を記録する宛て先アドレス記憶手段と、
宛て先を入力する宛て先入力手段と、
上記宛て先入力手段により入力された宛て先へ上記電子メール送信手段および上記ファクシミリ通信手段の少なくとも一方を用いて上記画像データを送信する送信制御手段と、
上記宛て先アドレス記憶手段に記憶されている宛て先の登録アドレス情報を参照して、画像データを送信しようとする所定の宛て先について上記所定の宛て先に電子メールアドレスおよびファクシミリ番号が登録されている場合に上記画像データを上記電子メールアドレスを用いて送信する送信方法制御手段とを有し、
送信する画像データがカラー画像データであり、かつ上記宛て先のファクシミリ装置が白黒画像のみ扱うファクシミリ装置である場合に、上記送信方法制御手段を有効にすることを特徴とする画像データ送信装置。
【発明の詳細な説明】
【０００１】
【発明の属する技術分野】
この発明は、ファクシミリ通信および電子メール通信の双方で画像データを送信することができる画像データ送信装置を用いた画像データ送信技術に関する。
【０００２】
【従来の技術】
近年、ＯＡ機器の複合化が進み、ファクシミリ画像を電子メール形式で送信したり、受信した電子メール画像をプリントアウトしたりすることのできる電子メール送受信機能付ファクシミリ装置（インターネットファクスとも呼ばれる）が利用されている。
【０００３】
ところで、電子メールを利用する場合、サーバーやネットワークに過大な負荷をかけないように、メールサーバーにおいて電子メールで送られるファイルのデータサイズに上限値が設けられていることが多い。
【０００４】
また。メール受信端末が携帯端末であった場合は、メールボックス容量が比較的少ないため受信できるデータサイズが限られる。
【０００５】
これらの問題を解決する従来の手法として、特開２００１−２８２６８５号公報に開示されるように、画像情報をページ単位に処理する機能を設け、送信画像情報をページ単位に分割し、複数の電子メールを用いて分割画像情報を送信するとともに、そのメールには分割した画像を再構成するための分割情報を付加するようにすることが提案されている。
【０００６】
しかしこの手法では、受信側は分割された複数のメールを再結合させるための専用のソフトウエアが必要である。
【０００７】
他方、近年、ファクシミリ装置では、カラーファクシミリ機能をもった機種が増加しており、カラー原稿をファクシミリで電送できるようになってきている。しかし、送受信機双方がカラーファクシミリ機能を持たなければ、カラー原稿のファクシミリ電送は不可能である。カラーファクシミリ機能を持つ機種はまだ一般的ではなく、カラーファクシミリ機能を持つファクシミリ装置を用いて、カラー原稿を送ろうとしても、相手方が対応していないため、カラー原稿の送信ができないということも多かった。
【０００８】
【発明が解決する課題】
この発明は、以上の事情を考慮してなされたものであり、受信機の特性に合わせて画像データを伝送することと、より確実に画像データを相手に届けることができるようにすることを目的としている。
【０００９】
【課題を解決するための手段】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【００１０】
すなわち、この発明によれば、上述の目的を達成するために、画像データ送信装置に：電子メール通信により画像データを送信する電子メール送信手段と；ファクシミリ通信により画像データを送信するファクシミリ通信手段と；宛て先の登録アドレス情報を記録する宛て先アドレス記憶手段と；宛て先を入力する宛て先入力手段と；上記宛て先入力手段により入力された宛て先へ上記電子メール送信手段および上記ファクシミリ通信手段の少なくとも一方を用いて上記画像データを送信する送信制御手段と；上記宛て先アドレス記憶手段に記憶されている宛て先の登録アドレス情報を参照して、画像データを送信しようとする所定の宛て先について上記所定の宛て先に電子メールアドレスおよびファクシミリ番号が登録されている場合に、予め定められたルールに基づいて決定される送信方法により上記画像データを送信する送信方法制御手段とを設けるようにしている。
【００１１】
この構成においては、例えば、画像データの量が多い場合には、優先的にファクシミリ装置に画像データを送り、電子メールを用いて送信した場合にメールサーバ等の制約に由来する送信拒否により画像データが宛て先に届かなくなることを未然に防止できる。また、例えば、カラー画像を送る場合には、優先的に電子メール通信により画像データを送り、ファクシミリ装置の制約によりカラー画像の送信に失敗するということがなくなる。
【００１２】
また宛て先の入力は、ファクシミリ番号、電子メールアドレス、宛て先名、登録番号等を指定して入力する。どのような態様で入力しても所望の通信方式で画像データを送信できる。例えば、電子メールアドレスで宛て先を指定しても、ファクシミリ番号による通信が好ましいと判断された場合には優先的にファクシミリ番号での送信が行われる。逆の場合も同様である。通信方式を指定しない宛て先入力方法例えば宛て先名で宛て先を指定した場合でも、画像データのサイズや種類に適合して優先的に最適な通信方式で通信するようにしてもよい。
【００１３】
この発明は、電子メール送受信機能付ファクシミリ装置のほかに種々の電子機器または電子機器の組合せシステムに適用可能である。電子メール通信機能およびファクシミリ通信機能を具備していれば、コンピュータ（例えばパーソナルコンピュータ）、パーソナルデジタルアシスタント、携帯電話（ファクスアダプタ付）等に適用可能である。
【００１４】
また、この発明は、コンピュータ（例えばパーソナルコンピュータ）からプリンタへの画像電送など、インターフェースが複数あり、そのインターフェースの特性に合わせて画像形式をかえるものに広く応用できる。
【００１５】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００１６】
【発明の実施の形態】
以下、この発明を電子メール送受信機能付ファクシミリ装置に適用した実施例について説明する。
【００１７】
まず、この実施例が用いられるネットワーク環境を説明する。図１は、このネットワーク環境を示しており、この図において、ＬＡＮネットワーク１００ａ、１００ｂ、１００ｃがインターネット１０１に接続されている。ＬＡＮネットワーク１００ａ、１００ｂ、１００ｃにはＤＮＳ（ドメインネームシステム）サーバ１０２ａ、１０２ｂ、１０２ｃ、メールサーバ（ＳＭＴＰサーバ、ＰＯＰサーバ）１０３ａ、１０３ｂ、１０３ｃが設けられている。メールサーバ１０３ａ、１０３ｂ、１０３ｃは、アカウントへ送信された電子メールを記憶するスプール（メールボックス）を保持している。また、ＬＡＮネットワーク１００ａ、１００ｂ、１００ｃにはメールサーバ１０３ａ、１０３ｂ、１０３ｃのクライント装置となる電子メール送受信機能付ファクシミリ装置（単に端末、送信端末、受信端末と呼ぶこともある）１０４ａ、１０４ｂ、１０４ｃが配置されている。クライント装置（電子メール送受信機能付ファクシミリ装置１０４）は、それが属するＬＡＮネットワーク１００内のメールサーバ１０３のアカウントを持つ必要はないが、説明の便宜上そのようにする。また、この例では電子メール送受信機能付ファクシミリ装置１０４ｄが公衆網１０５およびアクセスサーバ１０６を介してＬＡＮネットワーク１００ｃに接続され、そのメールサーバ１０３ｃにメール送受信要求を行う。なお、各ＬＡＮネットワーク１００ａ、１００ｂ、１００ｃはルータ１０７ａ、１０７ｂ、１０７ｃによりインターネット１０１に接続されている。
【００１８】
例えば、電子メール送受信機能付ファクシミリ装置１０４ａは、メールサーバ１０３ａにアカウントを持ち、メールサーバ１０３ａのスプールから電子メールを取り出す。電子メール送受信機能付ファクシミリ装置１０４ａから、他の端末、例えば電子メール送受信機能付ファクシミリ装置１０４ｃに電子メールを送信するにはメールサーバ１０３ａに電子メールの送信を要求する。この電子メールは直接にあるいは１または複数の中継のメールサーバを介してメールサーバ１０３ｃに送られ、電子メール送受信機能付ファクシミリ装置１０４ｃはメールサーバ１０３ｃのスプールから電子メールを受け取る。
【００１９】
電子メールの転送手順についてさらにインターネットメールの例で説明する。電子メールを送信する場合は次のようである。なお、端末およびサーバを便宜上（Ａ）、（Ｂ）で表す。
▲１▼送信端末（Ａ）からメールサーバー（Ａ）に送る。
▲２▼メールサーバー（Ａ）はネットワーク上のＤＮＳサーバー（Ａ）のアドレス解決情報を参照して届け先を調べ、特定されたらメールサーバー（Ｂ）にメールを送信する。
▲３▼メールサーバー（Ｂ）は受け取ったメールを、自サーバー内の個人別のポスト（スプール）に仕分けする。
▲４▼受信端末（Ｂ）はメールサーバー（Ｂ）内の自分のスプールよりメールを取り出す。
【００２０】
ここで、通常メールサーバーにはネットワークに負荷をかけないように１通あたりのファイルサイズ上限（通常１〜２Ｍ  ｂｙｔｅ程度）がかけられていることが多い。もし送信端末からその上限を超えるサイズのメールを送った場合には、メールサーバーはエラーメールを送信者宛てに返信し、受信端末へはメールの配送を行わない。メーリングリストサーバ宛ての場合は、エラーメールはメーリングリストの管理者に送られ、送信者には送られない。
【００２１】
また、メールサーバー（Ｂ）の個人別スプール領域にも、通常は総容量サイズの上限が決められており、そのサイズを超える新たな受信メールがきた場合、古いメールの削除や新規メールの受け付け拒否、新規メールの一部切り捨て等の処理が行われる。
【００２２】
さらに、受信端末によっては、記憶領域の制約上総容量が制限されてしまっているものもあり、上記メールサーバー（Ｂ）と同様な処理が行われる（携帯端末等）。
【００２３】
以上のように、送信メールのファイルサイズにより、相手に正常に届かない場合が生じる。
【００２４】
この実施例では以下に説明するような構成を採用してこのような問題が起こらないようにしている。
【００２５】
つぎにこの実施例の電子メール送受信機能付ファクシミリ装置１０４のハードウェア構成例について詳細に説明する。
【００２６】
図２は、電子メール送受信機能付ファクシミリ装置１０４のハードウェア構成例を示しており、この図において、電子メール送受信機能付ファクシミリ装置１０４は、ＣＰＵ２０１、記憶装置２０２（ＲＯＭ２０３およびＲＡＭ２０４を含む）、入力部２０５、表示部２０６、画像入力部２０７、画像出力部２０８、画像処理部２０９、ネット制御部２１０、システムバス２１１、公衆回線インターフェース部２１２、ネットインターフェース部２１３等を含んで構成されている。
【００２７】
電子メール送受信機能付ファクシミリ装置１０４とインターネットやＬＡＮとはネットインターフェース部２１３を介して接続され、公衆回線とは公衆回線インターフェース部２１２を介して接続されている。ネット制御部２１２がこれらネットインターフェース部２１３および公衆回線インターフェース部２１２を制御する。なお、インターネットとは公衆回線インターフェース部２１２を経由でダイアルアップ等の手法を使って接続してもよい。
【００２８】
ＣＰＵ２０１は、電子メール送受信機能付ファクシミリ装置１０４全体を制御する制御部である。ＲＯＭ２０３にはＣＰＵ２０１で実行されるプログラムおよび各種データ、データサイズ上限設定値、相手先電話帳／アドレス帳等が格納されている。ＲＡＭ２０４には送信ファイルのデータサイズ算出結果等の格納がされている。またプログラム実行時のワークエリアとしても使用される。記憶装置２０２はＲＯＭ２０３、ＲＡＭ２０４のほかにハードディスクなどの補助記憶装置なども含み、ファイルの保存、展開等を行う。
【００２９】
画像処理部２０９は画像の解像度変換、圧縮、階調度変換、色数削減などの各種画像処理を行う部分であり、ハードウエアもしくはソフトウエアプログラムで構成される。
【００３０】
入力部２０５はメールやメールアドレスを入力するためのキーボード、マウス等の入力機器である。表示部２０６はＣＲＴや液晶ディスプレイ等であり、タッチパネル等入力機能を兼ねてもよい。
【００３１】
画像を送信する場合の１例を示す。
▲１▼入力部２０５により宛て先やメールデータの入力を行う。
▲２▼送信する画像を画像入力部２０７よりスキャンし、記憶装置２０２に蓄積する。
▲３▼宛て先の種類（電子メール／電話番号）に応じて、対応したネットインターフェース部２１３を通じて蓄積された画像を送信する。
【００３２】
つぎにこの実施例の電子メール送受信機能付ファクシミリ装置１０４の要部について説明する。
【００３３】
図３は、この実施例の電子メール送受信機能付ファクシミリ装置１０４の要部の機能を模式的に示しており、この図において、画像入力部１０（図２の画像入力部２０７に対応する）から画像データが入力され、通信方式切り換え部１５を介して、電子メール送信部１１、ファクシミリ送信部１２の一方または双方から送信される。画像入力部１０は原稿を光学的に走査して画像データを取得するものでもよいし、予めローカルまたはファイルサーバ等に記憶されている画像データファイルを取得するものでもよい。
【００３４】
画像入力部１０から入力された画像データは合計サイズ算出部１７にも送られ、ここで画像データの電子メールとしての合計サイズが算出される。この合計サイズは、上限値設定部１８で設定した上限値と、比較部１９において比較される。
【００３５】
宛て先入力部１３（図２の入力部２０５に対応）は、登録名や登録電子メール等を宛て先データとして受け取り、宛て先データは送信方式制御部１４に送られる。送信方式制御部１４は、アドレス帳記憶部１６の登録情報を参照して宛て先に電子メールアドレスおよびファクシミリ番号の双方が登録されているかどうかを判別する。双方が登録されている場合には通信方式切り換え部１５を制御してファクシミリ送信部１２から画像データが送信されるようにする。そうでない場合には電子メール送信部１１から画像データが送信される（添付ファイルとして）。
【００３６】
画像入力部１０から入力された画像データはさらにカラー画像判別部２０にも送られている。カラー画像判別部２０は画像データがモノクロかカラーかを判別し、カラーである場合には優先的に電子メールの送信が行われるような制御等を送信方式制御部１４に行わせる。なお、カラー画像判別部２０は、自らが画像の種類を判別してもよいし、場合によっては画像ファイルのタイプに関する情報を画像入力部１０等から受け取ってこのタイプに基づいて送信方式制御部１４の制御態様を変更するものでもよい。
【００３７】
なお、この例では、例えば、比較部１９が、画像データの電子メールとしての合計サイズが上限値を超えた場合にのみ、送信方式切り換え部１５が切り換え制御されるようにしている。したがって、電子メールとしての合計サイズが上限値を上回らなときには、そのまま電子メールにより画像データが送信される。
【００３８】
宛て先がファクシミリ番号（電話番号）と電子メールアドレス（ＰＣ等）の両方のアドレス情報を持っているかどうかの判断は、１つの宛て先に、ファクシミリ番号とメールアドレスの両方を設定できるテーブルを用意し、ファクシミリ番号とメールアドレスの両方を持っている宛て先に対して、送り先名、ファクシミリ番号、メールアドレス、索引番号（Ｎｏ．）等のいずれかが入力された場合に判断する。
【００３９】
図４はこのテーブル例である。ファクシミリ番号とメールアドレスの両方を持っている送り先（ここでは「ＡＡＡ」と「ＢＢＢ」）が選択された場合に、処理が実行される。
【００４０】
「ＡＡＡ」と入力された場合は、ファクシミリ番号「０１−２３４５−６７８９」とメールアドレス「ａａａ＠ｂｂｂ．ｃｃｃ」の両方を表示し、ユーザーにどちらか選択させる。
【００４１】
「０１−２３４５−４７８９」と入力された場合には、相手先ＡＡＡにはメールアドレス「ａａａ＠ｂｂｂ．ｃｃｃ」もあることを表示し、ユーザーにどちらか選択させる。
【００４２】
「ＣＣＣ」や「ＤＤＤ」が選択された場合は、ファクシミリ番号／メールアドレスのどちらか一方しか持っていないので、たとえば「ＣＣＣ」のファクシミリ番号「２３−４５６７−８９０１」が入力された場合に、「対応相手先メールアドレス：無（もしくは未登録）」を送信者に通知する。
【００４３】
つぎの実施例の動作について詳細に説明する。
【００４４】
図５は、宛て先としてメールアドレスや宛て先名を入力し、宛て先がファクシミリ番号およびメールアドレスの両方を有していた場合に、ファクシミリ番号側に送る例を示しており、この図において、まず、宛て先をメールアドレスもしくは宛て先名にて入力する（ファクシミリ番号以外。Ｓ１０）。つぎに送信原稿を光学的な走査等の方法で蓄積する（Ｓ１１）。入力された宛て先がファクシミリ番号とメールアドレスの両方を持っているか判断する（Ｓ１２）。持っていなければ相手にはファクシミリ番号がない（もしくは未登録）ことを送信者に通知し、そのまま対応するメールアドレスで送信する（Ｓ１３、Ｓ１４）。持っていれば、メール本文と添付ファイルの合計サイズを算出する（Ｓ１５）。そして送信上限サイズ設定値との比較を行う（Ｓ１６）。合計サイズが設定値を上回っていなければ、メールアドレスで送信する（Ｓ１６、Ｓ１４）。合計サイズが設定値を上回っていれば、送信者にファクシミリ番号で送信することを通知し、必要なら許可を得る（Ｓ１７、Ｓ１８）。この通知や確認は例えば図９に示すようなメッセージを表示して行う。図１０に示すような別のメッセージを表示してもよい。ファクシミリ番号での送信が許可されなければ、電子メールでの送信は不可であるため送信中止等の処理をおこなう（Ｓ１９）。ファクシミリ番号での送信が許可されたなら、ファクシミリ番号にて送信する（Ｓ２０）。
【００４５】
図６は、宛て先としてファクシミリ番号や宛て先名を入力し、宛て先がファクシミリ番号およびメールアドレスの両方を有していた場合に、電子メール側に送る例を示しており、この図において、宛て先をファクシミリ番号もしくは宛て先名にて入力する（メールアドレス以外。Ｓ３０）。送信原稿を光学的な走査等の方法で蓄積する（Ｓ３１）。入力された宛て先がファクシミリ番号とメールアドレスの両方を持っているか判断する（Ｓ３２）。両方持っていなければ、相手には対応するメールアドレスが無い（もしくは未登録）ことを通知し（Ｓ３３）、さらにファクシミリ番号で送信することを通知し（Ｓ３４）そのまま対応するファクシミリ番号で送信する（Ｓ３５）。両方持っていれば、メールにした場合のメール本文と添付ファイルの合計サイズを算出する（Ｓ３６）。そして送信上限サイズ設定値との比較を行う（Ｓ３７）。合計サイズが設定値を上回っていれば、ファクシミリ番号を用いて送信することを通知し（Ｓ３４）、そのままファクシミリ番号を用いて送信する（Ｓ３５）。この場合、通知は例えば図１１に示すようなメッセージを用いて行う。図合計サイズが設定値を上回っていなければ、メールでの送信をすることを送信者に通知／確認し（Ｓ３８）、メールでの送信が許可されなければ、ファクシミリ番号で送信を行う（Ｓ３９、Ｓ３４、Ｓ３５）。メールでの送信が許可されれば、メールで送信する（Ｓ３９、Ｓ４０）。なお、破線で示すステップＳ３６、Ｓ３７は省略してもよい。
【００４６】
図７は、送信原稿がカラーで、宛て先としてファクシミリ番号や宛て先名を入力し、宛て先がファクシミリ番号およびメールアドレスの両方を有していた場合に、電子メール側に送る例を示しており、この図において、まず、宛て先をファクシミリ番号もしくは宛て先名にて入力する（メールアドレス以外。Ｓ５０）。送信原稿を光学的な走査等の方法で蓄積する（Ｓ５１）。送信ファイルがカラー画像か否か判別し、カラーでなければ、ファクシミリ番号で送信することを通知して、ファクシミリ番号で送信する（Ｓ５２、Ｓ５３、Ｓ５４）。送信ファイルがカラーである場合には、さらに相手機が白黒ファクシミリか否か判別し（Ｓ５２、Ｓ５５）、そうでなければ（カラー機であれば）、ファクシミリ番号で送信することを通知してファクシミリで送信する（Ｓ５５、Ｓ５３、Ｓ５４）。
【００４７】
つぎに、入力された宛て先がファクシミリ番号とメールアドレスの両方を持っているか判断する（Ｓ５６）。両方持っていなければ、相手には対応するメールアドレスが無い（もしくは未登録）ことを通知し（Ｓ５７）、さらにファクシミリ番号で送信することを通知し（Ｓ５３）そのまま対応するファクシミリ番号で送信する（Ｓ５４）。両方持っていれば、メールにした場合のメール本文と添付ファイルの合計サイズを算出する（Ｓ５８）。そして送信上限サイズ設定値との比較を行う（Ｓ５９）。合計サイズが設定値を上回っていれば、ファクシミリ番号を用いて送信する（Ｓ５３、Ｓ５４）。合計サイズが設定値を上回っていなければ、メールでの送信をすることを送信者に通知／確認し（Ｓ６０）、メールでの送信が許可されなければ、ファクシミリ番号で送信を行う（Ｓ６１、Ｓ５３、Ｓ５４）。メールでの送信が許可されれば、メールで送信する（Ｓ６１、Ｓ６２）。
【００４８】
図８は、宛て先がファクシミリ番号およびメールアドレスの両方を有していた場合に、ファクシミリ番号およびメールアドレスの双方で画像データを送信する例を示しており、この図において、まず、宛て先を入力し、画像データを蓄積する（Ｓ７０、Ｓ７１）。つぎに、入力された宛て先がファクシミリ番号とメールアドレスの両方を持っているか判断する（Ｓ７２）。両方持っていなければ、相手には対応するファクシミリ番号およびメールアドレスの双方は無い（もしくは未登録）ことを通知し（Ｓ７３）、そのまま対応するファクシミリ番号またはメールアドレスで送信する（Ｓ７４）。両方持っていれば、メールにした場合のメール本文と添付ファイルの合計サイズを算出し、送信上限サイズ設定値と比較する（Ｓ７５）。合計サイズが設定値を上回っていたらファクシミリファクシミリ番号で送信する（Ｓ７６、Ｓ７７）。合計サイズが設定値を上回っていなければ、メールでの送信をすることを送信者に通知／確認し（Ｓ７８）、メールでの送信が許可されなければ、ファクシミリでの送信を行う（Ｓ７９、Ｓ７７）。メールでの送信が許可されたなら、さらにファクシミリ番号でも同時に送るか確認し、確認されたならメールとファクシミリ両方にて送信する（Ｓ７９、Ｓ８０）、Ｓ８１、Ｓ８２）。確認されないならば、メールのみで送信する（Ｓ８１、Ｓ８３）。この確認は例えば図１２に示すようなメッセージを用いて行うことができる。
【００４９】
以上説明したように、この実施例によれば、画像を、適切な通信方式の受信端末を選択して画像データを伝送することができる。たとえば、相手がＰＣとＦＡＸの両方を有していた場合に多数枚の原稿を送りたいとする。相手機がメールアドレス（ＰＣ）の場合、ネットワーク上で１回に送ることのできる送信ファイルサイズが制限される。また携帯端末では、受信できるファイルサイズが比較的小さい。よって、大きなサイズのファイルを送ることは困難であるが、相手が電話回線（ファクシミリ）の場合は、その制限がないため何枚でも送ることができる。
【００５０】
一方、通信料金を考慮すると、一般的にはメールの方が電話回線より費用はかからない。
【００５１】
また、カラー原稿を送りたいとする。相手機がＰＣの場合はソフトウエア次第でそれを開くことが可能であるのに対し、ファクシミリの場合はカラー機能自体を持っていないと受信不可である。よってＰＣに送った方が、カラー画像を相手に届ける可能性が高くなる。
【００５２】
さらにこの実施例によれば、画像データを、確実に相手に電送することができる。たとえば、原稿を送信する場合、相手がＰＣとＦＡＸの両方を有していた場合、両方に送ることでより確実に相手に届けることができる。
【００５３】
なお、この発明は上述の実施例に限定されるものではなくその趣旨を逸脱しない範囲で種々変更が可能である。例えば、上述の例では、通信方式の指定を含む宛て先情報を入力した場合であっても、画像データに適合した通信方式を優先的に利用できるようになっており、必要な場合にはユーザに確認を行えるようにしている。しかしながら、通信方式を指定せずに任意の通信方式で通信を行うモードをユーザが指定できるようにしてもよく、この場合には通信方式の確認を行わずに、決定した通信方式で直ちに通信を行うようにしてもよい。
【００５４】
【発明の効果】
以上説明したように、この発明によれば、画像データのサイズや種類に応じて適切な通信方式を選択し、適切な受信端末に画像データを送信できる。また、送信方式を冗長かさせることによりより確実に画像データの伝送が可能となる。
【図面の簡単な説明】
【図１】  この発明の実施例のネットワーク環境を説明する図である。
【図２】  上述実施例のハードウェア構成例を説明する図である。
【図３】  上述実施例の要部の機能を模式的に示すブロック図である。
【図４】  上述実施例で用いるテーブルを説明する図である。
【図５】  上述実施例の動作を説明するフローチャートである。
【図６】  上述実施例の他の動作を説明するフローチャートである。
【図７】  上述実施例のさらに他の動作を説明するフローチャートである。
【図８】  上述実施例のさらに他の動作を説明するフローチャートである。
【図９】  上述実施例で用いるメッセージ表示の例を説明する図である。
【図１０】  上述実施例で用いるメッセージ表示の他の例を説明する図である。
【図１１】  上述実施例で用いるメッセージ表示のさらに他の例を説明する図である。
【図１２】  上述実施例で用いるメッセージ表示のさらに他の例を説明する図である。
【符号の説明】
１０      画像入力部
１１      電子メール送信部
１２      ファクシミリ送信部
１３      宛て先入力部
１４      送信制御制御部
１４      送信方式制御部
１５      通信方式切り換え部
１６      アドレス帳記憶部
１７      合計サイズ算出部
１８      上限値設定部
１９      比較部
２０      カラー画像判別部
１００      ネットワーク
１０１      インターネット
１０２      ＤＮＳ      サーバ
１０３      メールサーバ
１０４      電子メール送受信機能付ファクシミリ装置
１０５      公衆網
１０６      アクセスサーバ
１０７ａ      ルータ
２０１      ＣＰＵ
２０２      記憶装置
２０３      ＲＯＭ
２０４      ＲＡＭ
２０５      入力部
２０６      表示部
２０７      画像入力部
２０８      画像出力部
２０９      画像処理部
２１０      ネット制御部
２１１      システムバス
２１２      ネット制御部
２１２      公衆回線インターフェース部
２１３      ネットインターフェース部
【図１】
0003932939.tif 000002
【図２】
0003932939.tif 000003
【図３】
0003932939.tif 000004
【図４】
0003932939.tif 000005
【図５】
0003932939.tif 000006
【図６】
0003932939.tif 000007
【図７】
0003932939.tif 000008
【図８】
0003932939.tif 000009
【図９】
0003932939.tif 000010
【図１０】
0003932939.tif 000011
【図１１】
0003932939.tif 000012
【図１２】
0003932939.tif 000013